(57)【要約】【課題】  装置全体を大型化することなく、高いセキュリティ機能を有する扉用ロックハンドル装置を提供する。【解決手段】  ハンドル部材にシリンダー錠が埋め込み装着されており、当該シリンダー錠の内筒に連結した止め金板がケース側の受金部に係合することによって、ハンドル部材が格納位置においてケースに対し引き出し不能に錠止され、ハンドル部材をケース前面と平行な軸ピンの周りに引き出し回転させたとき、ハンドル部材の操作アームによって駆動されたラッチ部材が固定枠体側のストライク部材から離脱するようにしたフラット型の扉用ロックハンドル装置において、前記ハンドル部材の前面に対して長手方向軸線が傾斜するようにシリンダー錠収容部を形成し、ケース内底面の段差部によって前記受金部を構成する。【選択図】    図９
2005350962.tif 000002
【特許請求の範囲】
【請求項１】
ハンドル部材にシリンダー錠が埋め込み装着されており、当該シリンダー錠の内筒に連結した止め金板がケース側の受金部に係合することによって、ハンドル部材が格納位置においてケースに対し引き出し不能に錠止され、ハンドル部材をケース前面と平行な軸ピンの周りに引き出し回転させたとき、ハンドル部材の操作アームによって駆動されたラッチ部材が固定枠体側のストライク部材から離脱するようにしたフラット型の扉用ロックハンドル装置において、
前記ハンドル部材の前面に対して長手方向軸線が傾斜するようにシリンダー錠収容部を形成し、ケース内底壁の段差部によって前記受金部を構成したことを特徴とする扉用ロックハンドル装置。
【請求項２】
前記受金部をケースの成形時に形成したことを特徴とする請求項１に記載の扉用ロックハンドル装置。
【請求項３】
前記ハンドル部材の背面側に一対の軸受突起と軸押え突起を同一直線上に突設し、前記ケースの内底面側に一対の軸受突起と軸押え突起を同一直線上に突設し、ハンドル部材側の軸受突起とケース側の軸受突起を交互に入り込むように配置し、当該軸受突起の各軸孔に嵌挿した前記軸ピンの一方端をケース側の前記軸押え突起に対面させ、前記軸ピンの他方端をハンドル部材側の前記軸押え突起に対面させて、前記軸ピンの抜脱を阻止するようにしたことを特徴とする請求項１または請求項２の記載の扉用ロックハンドル装置。
【発明の詳細な説明】
【技術分野】
【０００１】
本発明は、扉に埋め込み固着されるケースにハンドル部材が格納されており、シリンダー錠によるケースに対するハンドル部材の錠止を解いてから、ハンドル部材をケースから引き出し回転させることによって、ハンドル部材の操作アームによってラッチ部材が固定枠体側のストライク部材から離脱するように構成されたフラット型の扉用ロックハンドル装置に関するものである。
【背景技術】
【０００２】
従来のフラット型の扉用ロックハンドル装置では、前記シリンダー錠の収容部はハンドル部材前面に対して長手方向軸線が直角に交差するように形成されており、シリンダー錠の内端部はケースの手差し込み用凹部内に突き出している（例えば特許文献１参照）。
【０００３】
この手差込用凹部の深さは操作者の指先が差し込まれる程度の比較的浅いものであるため、シリンダー錠の長さ寸法は比較的短いものに限界付けられており、ピンタンブラやディスクタンブラといったシリンダー錠の外筒と内筒間の内部錠止機構部材の組み込み数は少ないものとなっている。
【０００４】
治安が良好に保たれていたこれまでは、二枚程度のディスクタンブラで構成された簡易型のシリンダー錠でも特に防犯上の問題は発生していなかったが、盗犯や侵入犯が増加傾向にある今日では、前記内部錠止機構部材の組み込み数を増やしたセキュリティ機能の高いシリンダー錠を装着することが要請されている。
【０００５】
セキュリティ機能の高いシリンダー錠では、内部錠止機構部材の組み込み数が多いため、シリンダー錠の軸方向長さは長いものとなり、このようなシリンダー錠をハンドル部材の前面に対して直交方向に装着するものとすると、ケースの手差込用凹部の深さが深くなり、装置全体が大型化してしまうことになる。
【０００６】
他方、シリンダー錠はハンドル部材の端部に埋め込み装着され、内筒の先端部に連結された止め金板はケースの側壁部内面に設けた受金部と係合するのであるが、従来装置では、この受金部はケースの成形後に、側壁部を切削加工することによって形成されているため、加工コストが余分にかかっていた。
【０００７】
また、従来装置では、前記軸ピンはケースの手差込用凹部を全幅にわたって横断して配置され、軸ピンの両端部は、ケースの対向する側壁部の軸孔に嵌挿されて加締め固定されていた。このような加締め固定の方式では、ハンドル部材を介して軸ピンに過大な外力が負荷されたとき、加締め固定部が破壊を受け易かった。
【０００８】
【特許文献１】昭和６３年実用新案公開公報第４６５６８号公報
【発明の開示】
【発明が解決しようとする課題】
【０００９】
本発明の課題は、装置全体を大型化することなく、高いセキュリティ機能を有する扉用ロックハンドル装置を提供することである。
【課題を解決するための手段】
【００１０】
本発明の主たる特徴は、ハンドル部材にシリンダー錠が埋め込み装着されており、当該シリンダー錠の内筒に連結した止め金板がケース側の受金部に係合することによって、ハンドル部材が格納位置においてケースに対し引き出し不能に錠止され、ハンドル部材をケース前面と平行な軸ピンの周りに引き出し回転させたとき、ハンドル部材の操作アームによって駆動されたラッチ部材が固定枠体側のストライク部材から離脱するようにしたフラット型の扉用ロックハンドル装置において、
前記ハンドル部材の前面に対して長手方向軸線が傾斜するようにシリンダー錠収容部を形成し、ケース内底面の段差部によって前記受金部を構成したことである。
【発明の効果】
【００１１】
本発明では、ハンドル部材に設けるシリンダー錠収容部は、ハンドル部材前面に対して長手方向軸線が傾斜するように形成されるため、従来のようにハンドル部材前面に対して直交するように形成した場合と比較して、その長さ寸法は長いものとなる。そのため、ケースの手差込用凹部を深くして装置全体を大型化しなくとも、外筒と内筒間の内部錠止機構部材の組み込み数が多いシリンダー錠をハンドル部材に容易に装着することができ、扉用ロックハンドル装置のセキュリティ機能を高いものとすることができる。
【発明を実施するための最良の形態】
【００１２】
シリンダー錠の内筒の先端部に連結された止め金版が係脱する受金部は、前記軸ピンを中心とする当該止め金板の回転軌跡上に配置されている必要があるが、この受金部は前記ケースの内底壁の段差部によって構成される。そして、ケース成形語の二次加工を無くすために、前記段差部はケース成形時に形成して置くのが好ましい。これによって加工コストを節減することができる。
【００１３】
傾斜配置したシリンダー錠収容部との干渉を回避するために、短い軸ピンを使用するのが望ましい。その場合、ハンドル部材の背面側に一対の軸受突起と軸押え突起を同一直線上に突設し、前記ケースの内底面側に一対の軸受突起と軸押え突起を同一直線上に突設し、ハンドル部材側の軸受突起とケース側の軸受突起を交互に入り込むように配置する。
そして、当該軸受突起の各軸孔に嵌挿した前記軸ピンの一方端をケース側の前記軸押え突起に対面させ、前記軸ピンの他方端をハンドル部材側の前記軸押え突起に対面させて、前記軸ピンの抜脱を阻止する。
【００１４】
このようにケース側とハンドル部材側のいずれにおいても、一対の軸受突起による両持ち式の軸ピン支持構造を採用したときには、ハンドル部材を介して相当大きな外力が負荷されても、軸ピン支持部が破壊されることがなく、耐久性の大きい扉用ロックハンドル装置が得られる。
【実施例】
【００１５】
図１から図９に示した実施例では、扉１に固着されるケース２は、図１に示したように前面側に手差し込み用凹部３が大きく開口形成されている。図２及び図３に示したようにケース２の背面側の脚部４には、ガイド板５がビス６によって締付け固着されている。溶接によってガイド板５の中央部に左右横方向に設けたガイド筒部７には、図８に示したようにラッチ部材８がスライド可能に収容されている。ラッチ部材８は圧縮コイルバネ９によって突出方向に移動付勢されている。
【００１６】
ガイド板５の右端部にはビス１０によって扉１への突当て板１１が固着されている。ラッチ部材８の基端部のカム従動孔１２には、ハンドル部材１３の背面に一体形成した操作アーム１４が挿入されている。軸ピン１５を中心にハンドル部材１３をケースの手差込用凹部３から引き出し回転させたとき、操作アーム１４の側面がカム従動孔１２の内面を押圧することによって、ラッチ部材８が圧縮コイルバネ９の前記付勢に抗して内向き、すなわち図８において右方向に牽引駆動される。
【００１７】
機器筐体といった固定枠体４４の開口縁枠部にはストライク部材１６が形成されており、ラッチ部材８の先端部はストライク部材１６の受孔１７に係脱する位置にある。ラッチ部材８の先端部の背面側は湾曲カム面１８に形成されている。扉１が蝶番軸（図示していない）を中心に閉鎖回転したとき、回転終端域において湾曲カム面１８がストライク部材１６のコーナー部１９に衝接することによって、ラッチ部材８は自動的に右方向に後退させられる。扉１が完全に閉鎖されたとき、圧縮コイルバネ９の作用によって、ラッチ部材８の先端部は前記受孔１７に自動的に係合する。
【００１８】
図１に示したようにハンドル部材１３は、ケース２の手差込用凹部３に全体を格納されており、右側に指差込み空間が残されている。シリンダー錠収容部２０は、ハンドル部材１３の下端部に設けられており、シリンダー錠収容部２０の長手方向軸線はハンドル部材１３の前面に対して約４５度に傾斜している。そのため、手差込み用凹部３の深さを同じとした場合、ハンドル部材前面に対して直角にシリンダー錠収容部を形成するのと比較して、約１．４倍の長さのシリンダー錠を装着することができる。
【００１９】
これに収容されたシリンダー錠２１は、８枚構成のディスクタンブラ型のシリンダー錠であり、外筒２２はハンドル部材１３に対して回転不能に装着されており、内筒２３は外筒２２に対して回転可能に装着されている。内筒２３の先端部には止め金板２４が嵌められ、ビス２５によって内筒２３に締め付け固着されている。図９に示したように止め金板２４はケース２の内底壁２６に対して約４５度に配置されており、先端部垂直面２７が、ケース内側壁２６の垂直な段差部２８に当接するようになっている。この段差部２８は、軸ピン１５を中心とする止め金板２４の回転軌跡と交差するように配置されている。
【００２０】
シリンダー錠２１の内筒２３の鍵孔４２に所定の鍵４３を挿入して、内筒２２を所定方向に所要角度回すと、止め金板２４の先端部は前記段差部２８に干渉しない位置に退避し、軸ピン１５を中心にハンドル部材１３を引き出し回転させることができる。本実施例では、シリンダー錠２１の外筒２２は、シリンダー錠収容部２０と同一物に形成されている。
外筒２２をシリンダー錠収容部２０と別体物に形成し、内筒２３と外筒２２及び内部錠止機構部材とが一ユニットとして組立てられた錠前ユニットをシリンダー錠収容部２０に相対回転不能に装着することもできる。
【００２１】
ハンドル部材１３の背面側には一対の軸受突起２９，２９と軸押え突起３０が、ハンドル部材１３の主体部分と一体に突出形成されている。各軸受突起２９には軸孔３１が形成されている。本実施例では、一方の軸受突起２９は、操作アーム１４の基端部によって構成されている。ビス３２によってケース２の内底壁２６に締付け固定された台座体３３には、一対の軸受突起３４，３４が突出形成されており、軸受突起３４には軸孔３５が形成されている。この台座体３３に隣接してケース２の内底壁２６には、軸押え突起３６が一体に突出形成されている。
【００２２】
ケース２はガイド板５の立ち上り板部３７の２個の螺子孔部３８を通るビスによって、扉１の縁板部３９に固着される。ハンドル部材１３の操作アーム１４は、台座体３３の逃げ孔４０とガイド筒部７の小開口４１を通してラッチ部材８のカム従動孔１２に挿入されている。
【００２３】
図１０に示した別の実施例では、ケース２はシリンダー錠２１の内筒２３の前面が斜め下向きとなるように配置して扉１に取付けられている。そのため、内筒２３の鍵孔４２に対する浮遊塵埃の侵入が抑制され、シリンダー錠の防塵性を向上させることができる。
【図面の簡単な説明】
【００２４】
【図１】本発明の一実施例に係る扉用ロックハンドル装置の正面図である。
【図２】図１の扉用ロックハンドル装置の背面図である。
【図３】図１の扉用ロックハンドル装置の平面図である。
【図４】図１の扉用ロックハンドル装置の底面図である。
【図５】図１の扉用ロックハンドル装置の左側面図である。
【図６】図１の扉用ロックハンドル装置の右側面図である。
【図７】図１のＡ−Ａ線断面図である。
【図８】図１のＢ−Ｂ線断面図である。
【図９】図１のＣ−Ｃ線断面図である。
【図１０】図１の扉用ロックハンドル装置の別の装着形態における図９に対応した断面図である。
【符号の説明】
【００２５】
１  扉
２  ケース
３  ケースの手差込み用凹部
４  ケースの脚部
５  ガイド板
６  ビス
７  ガイド筒部
８  ラッチ部材
９  圧縮コイルバネ
１０  ビス
１１  突当て板
１２  ラッチ部材のカム従動孔
１３  ハンドル部材
１４  ハンドル部材の操作アーム
１５  軸ピン
１６  ストライク部材
１７  ストライク部材の受孔
１８  カム部材の湾曲カム面
１９  ストライク部材のコーナー部
２０  ハンドル部材のシリンダー錠収容部
２１  シリンダー錠
２２  シリンダー錠の外筒
２３  シリンダー錠の内筒
２４  止め金板
２５  ビス
２６  ケースの内底壁
２７  止め金板の先端部垂直面
２８  受金部（ケースの段差部）
２９  ハンドル部材側の軸受突起
３０  ハンドル部材側の軸押え突起
３１  ハンドル部材側の軸受突起の軸孔
３２  ビス
３３  台座体
３４  ケース側の軸受突起
３５  ケース側の軸受突起の軸孔
３６  ケース側の軸押え突起
３７  ガイド板の立ち上り板部
３８  螺子孔部
３９  扉の縁板部
４０  台座体の逃げげ孔
４１  ガイド筒部の小開口
４２  内筒の鍵孔
４３  シリンダー錠の鍵
４４  固定枠体
【図１】
2005350962.tif 000003
【図２】
2005350962.tif 000004
【図３】
2005350962.tif 000005
【図４】
2005350962.tif 000006
【図５】
2005350962.tif 000007
【図６】
2005350962.tif 000008
【図７】
2005350962.tif 000009
【図８】
2005350962.tif 000010
【図９】
2005350962.tif 000011
【図１０】
2005350962.tif 000012